(57)【要約】【課題】扉等に背圧がかかった場合に、ソレノイドに大きな負担をかけずに、解錠等をスムーズに行わせる。【解決手段】扉等のストライカ２に係合する回動自在なロック部材３と、ロック部材に隙間６４を存して係合するストッパ部４と、ストッパ部と一体に回動するリンク部５と、リンク部を駆動するソレノイド７と、ロック部材３の動きを検知する第一の検知部３１とを備え、背圧によってストライカに扉等の開き方向の力が作用してロック部材が解錠方向に回動しつつ隙間６４が狭くなった時に、第一の検知部３１が作動して異常を報知するようにした錠装置１の背圧対処機構を採用する。ストッパ部４の動きを検知する第二の検知部３７を備え、ストッパ部がロック部材３に係合した時に第二の検知部３７が作動し、その状態で第一の検知部３１が作動して異常を報知するようにした。【選択図】図３
2008266931.tif 000002
【特許請求の範囲】
【請求項１】
扉等のストライカに係合する回動自在なロック部材と、該ロック部材に隙間を存して係合するストッパ部と、該ストッパ部と一体に回動するリンク部と、該リンク部を駆動するソレノイドと、該ロック部材の動きを検知する第一の検知部とを備え、背圧によって該ストライカに扉等の開き方向の力が作用して該ロック部材が解錠方向に回動しつつ該隙間が狭くなった時に、該第一の検知部が作動して異常を報知するようにしたことを特徴とする錠装置の背圧対処機構。
【請求項２】
前記ストッパ部の動きを検知する第二の検知部を備え、該ストッパ部が前記ロック部材に係合した時に該第二の検知部が作動し、その状態で前記第一の検知部が作動して異常を報知することを特徴とする請求項１記載の錠装置の背圧対処機構。
【請求項３】
前記ストライカが前記ロック部材に係合した状態で、前記背圧が作用して前記第一の検知部が作動し、前記ストッパ部が該ロック部材に係合せず、前記第二の検知部が作動しない時に施錠不良が報知されることを特徴とする請求項２記載の錠装置の背圧対処機構。
【発明の詳細な説明】
【技術分野】
【０００１】
本発明は、大きな収容物を入れた際にロッカの扉や机の引出し等にかかる背圧に対して検知スイッチを用いて解錠や施錠をスムーズに行わせるようにした錠装置の背圧対処機構に関するものである。
【背景技術】
【０００２】
図９は、従来の錠装置の一形態を示すものである（特許文献１参照）。
【０００３】
この錠装置８５は、ロッカ等に適用され、扉のストライカ８６に係合するロックプレート８７と、ロックプレート８７を解錠方向に付勢する第一のばね８８と、ロックプレート８７の後段部８７ａに当接するストッパアーム８９と、ストッパアーム８９に第二のばね９０を介して連結された駆動レバー９１と、駆動レバー９１を駆動する電磁ソレノイド９２と、駆動レバー９１のピン９１ａに当接するまでの範囲でストッパアーム８９に当接するストッパ解除アーム９２と、ストッパ解除アーム９２をストッパアーム８９の当接解除方向に付勢する強い第三のばね９３とを備えたものである。
【０００４】
例えばロッカ内に大きな荷物を入れて扉を閉めた場合に、扉が外向きに押されて背圧がかかり、ストライカ８６が外向きに引っ張られ、ロックプレート８７が解錠方向（反時計回り）に少し回動し、ストッパアーム８９の上段部８９ａに強く当接することで、使用者が解錠しようとしてテンキーの暗証番号入力操作でソレノイド９２を作動（突出）させても、そのプランジャ９２ａで駆動レバー９１が反時計回りに回動するだけで、ストッパアーム８９はロックプレート８７から外れずに、ロックが解除されないという不具合を生じる。
【０００５】
使用者が扉をガタガタさせてストライカ８６が瞬間的にロックプレート８７の凹部面８７ａから離れた際に、ストッパアーム８９の段部８９ａとロックプレート８７の段部８７ａとの間に隙間を生じ、その間に第三のばね９３がストッパアーム８９を解錠方向に回動させることで、ロックが解除される。
【０００６】
図９で、符号９４はロックプレート８７の回動を検知するスイッチ、９５はストッパアーム８９の回動を検知するスイッチ、９２ｂはプランジャ突出用のばね、９６は各部材を収容したケース、９８は取付用のブラケット、をそれぞれ示している。
【特許文献１】特開２００５−２４０４６０号公報（図２）
【発明の開示】
【発明が解決しようとする課題】
【０００７】
しかしながら、上記従来の錠装置８５にあっては、背圧で扉が開かない際に、使用者が扉をガタつかせることを前提としており、それをしなかった場合には、扉が開かずに、使用者に迷惑がかかる懸念があった。また、使用者がロッカ内に荷物を入れて扉を閉め、扉に背圧がかかった状態で施錠しようとしても、ストライカ８７の位置が通常よりも扉開き方向にずれて、ロックプレート８７と干渉して施錠がスムーズに行われないという懸念があった。
【０００８】
また、これらロックプレート８７、ストッパアーム８９、ストライカ８６の材料は金属ないし合成樹脂を適宜選択して使用するので、これら相互の摩擦力は一定でなく、扉にかかる背圧の大きさも一定でないので、施解錠をスムーズに行わせるためにソレノイド９２を大きく強く設定し、構造が肥大化・高コスト化するという懸念があった。また、背圧がかかった状態で万一、ソレノイド９２の駆動に失敗すると、ソレノイド９２に通電し続けることとなり、ソレノイド９２を傷めるという懸念があった。
【０００９】
本発明は、上記した点に鑑み、扉等に背圧がかかった場合に、ソレノイドに大きな負担をかけずに、解錠や施錠をスムーズに行わせることのできる錠装置の背圧対処機構を提供することを目的とする。
【課題を解決するための手段】
【００１０】
上記目的を達成するために、本発明の請求項１に係る錠装置の背圧対処機構は、扉等のストライカに係合する回動自在なロック部材と、該ロック部材に隙間を存して係合するストッパ部と、該ストッパ部と一体に回動するリンク部と、該リンク部を駆動するソレノイドと、該ロック部材の動きを検知する第一の検知部とを備え、背圧によって該ストライカに扉等の開き方向の力が作用して該ロック部材が解錠方向に回動しつつ該隙間が狭くなった時に、該第一の検知部が作動して異常を報知するようにしたことを特徴とする。
【００１１】
上記構成により、ロック部材とストッパ部との係合部分に隙間があるので、ロック部材とストッパ部とが摩擦なく係合し、ソレノイドが小さな力でリンク部とストッパ部を作動させる。ロッカ等の扉や机の引出し等に背圧がかかった際に、ストライカが外向きに引っ張られ、ロック部材が解錠方向に少し回動して、ストッパ部に隙間なく当接するが、その当接前に第一の検知部が隙間が狭まったことを検知して、制御部を介して背圧がかかっていることをランプ等で使用者に報知する。使用者が扉等を閉じ方向に押すことで、背圧が解除され、ソレノイドの作用でストッパ部が移動してロック部材から離脱して解錠される。第一の検知部としてはリミットスイッチ等の他に光センサ等が挙げられる。検知部の作動とはオン又はオフになることを言う。
【００１２】
請求項２に係る錠装置の背圧対処機構は、請求項１記載の錠装置の背圧対処機構において、前記ストッパ部の動きを検知する第二の検知部を備え、該ストッパ部が前記ロック部材に係合した時に該第二の検知部が作動し、その状態で前記第一の検知部が作動して異常を報知することを特徴とする。
【００１３】
上記構成により、ストッパ部がロック部材に係合して施錠されていることを第二の検知部が検知し、その状態で第一の検知部がロック部材とストッパ部との係合部の隙間の有無（広いか狭いか）を検知する。狭い場合に第一の検知部が作動して背圧を検出する。検知部の作動とはオン又はオフになることを言う。各検知部の信号は制御部に送られて制御部で報知の必要性が判断される。各検知部としてはリミットスイッチ等が挙げられる。
【００１４】
請求項３に係る錠装置の背圧対処機構は、請求項２記載の錠装置の背圧対処機構において、前記ストライカが前記ロック部材に係合した状態で、前記背圧が作用して前記第一の検知部が作動し、前記ストッパ部が該ロック部材に係合せず、前記第二の検知部が作動しない時に施錠不良が報知されることを特徴とする。
【００１５】
上記構成により、使用者がロッカ等に収容物を入れて扉等を閉めて施錠しようとした際に、扉等に背圧がかかっている場合に、ソレノイドの作用でストッパ部がロック部材に係合しようとしても、ロック部材が隙間のなくなる方向に回動しているから、ロック部材に干渉して施錠することができなくなるが、その際のストッパ部の位置を第二の検知部が検知する（作動しない状態となる）から、施錠できないことが使用者に報知され、使用者が扉等を閉じ方向に押すことで背圧が除去され、その状態でソレノイドの作用でストッパ部がロック部材に係合して施錠が行われる。
【発明の効果】
【００１６】
請求項１記載の発明によれば、例えばロッカ内に使用者が大きな荷物を入れて扉に背圧がかかり、解錠が行われない場合でも、その異常が使用者に報知され、使用者が扉を押して背圧を解除することで、スムーズに解錠が行われる。このように、使用者に直接異常を報知して速やかに解錠を行わせることで、ソレノイドに長く通電させることが回避され、ソレノイドの傷みが防止されて耐久性が向上する。また、背圧を完全に解除した状態で解錠を行うことで、ロック部材とストッパ部との摺動摩擦がなくなり、小さなソレノイドを用いて錠装置の小型化を図ることができる。
【００１７】
請求項２記載の発明によれば、ストッパ部がロック部材に係合した施錠状態を第二の検知部が検知することで、例えば二つのリミットスイッチを用いて施錠状態における背圧の有無を正確に且つ低コストで検知することができる。
【００１８】
請求項３記載の発明によれば、背圧で施錠ができない場合にも異常を報知することで、施錠忘れが確実に防止されると共に、使用者に直接異常を報知して速やかに施錠を行わせることで、ソレノイドに長く通電させることが回避され、ソレノイドの傷みが防止されて耐久性が向上する。また、背圧を完全に解除した状態で施錠を行うことで、ロック部材とストッパ部との摺動摩擦がなくなり、小さなソレノイドを用いて錠装置の小型化を図ることができる。
【発明を実施するための最良の形態】
【００１９】
図１〜図５は、本発明に係る錠装置の背圧対処機構の一実施形態を示すものである。この錠装置（電気錠）１は小型化を図ったもので、ロッカや机の引出し等に好適である。
【００２０】
図１の如く、錠装置１は、扉や引出し等（以下扉と言う）のストライカ２に係合する回動自在なロックプレート（ロック部材）３と、ロックプレート３に対するストッパ部４とリンク部５とで成る回動自在なプレート部材（部材）６と、リンク部５の上部にプランジャ８を係合させた水平な電磁ソレノイド７と、ロックプレート３の後端部に接離する第一のスイッチ（検知部）３１（図３）と、ストッパ部４の後端部に接離する第二のスイッチ（検知部）３７と、これらスイッチ３１，３７の動作で点滅するＬＥＤランプ（報知部）４４とを備えるものである。
【００２１】
図１の実施形態では、ストッパ部４とリンク部５とを別体のストッパプレート（ないしストッパレバー）（４）とリンクプレート（ないしリンクレバー）（５）とで構成した例を示しているが、ストッパ部４とリンク部５とを金属板で一体に形成することも可能である。
【００２２】
別体のストッパプレート（４）を用いれば、オートロックに対応して、扉を開けた状態（ストライカ２がロックプレート３から外側に離間した状態）でもロック（施錠）することができる。図１の状態から図２の如く、例えばソレノイド７をオンしてプランジャ８を圧縮コイルばね４６の力で前方に突出させ、プランジャ８と一体にリンクプレート（５）を反時計回りに回動させた際に、ストッパプレート（４）は捩り巻きばね３０の付勢力で反時計回りに回動してロックプレート３の後部側の円弧状の凸部３８に当接して、ロック準備状態を得る。凸部３８の円弧面３８ａは軸部１３を中心とした半径で描かれている。
【００２３】
相手側のストライカ２は、略Ｕ字状に屈曲形成され、電気錠１のケース１１の凹部１２に進退自在である。図１では扉を少し開いた状態となっている。ロックプレート３はケース１１に軸部１３で上下方向回動自在に支持され、且つスナップスプリング１４（図３）で施錠及び解錠方向に付勢されて、図１で解錠状態を維持している。
【００２４】
ロックプレート３は、先端側の上向きの短い凸部１５と長い凸部１６と、両凸部１５，１６の間の凹部１７と、長い凸部１６の後側の凹部（被係合部）１８と、凹部の後側の円弧状の凸部３８とを有している。図１で長い凸部１６にストライカ２が当り、図３の扉の閉じ時にロックプレート３がばね１４の付勢力で時計回り（施錠方向）に回動して短い凸部１５でストライカ２を保持し、図４の施錠時に後側の凹部１８にストッパ部４の先端の突出部分１９（係合部）がロックプレート３の後方の凸部３８との間に隙間６４を存して係合する。隙間６４があることで、ソレノイド７の負荷が小さく、小さな力で施解錠が可能で、ソレノイド７が小型化される。
【００２５】
図５の如く、ロックプレート３の後端部３９は大径な円弧（湾曲）状の後端面３９ａを有し、後端面３９ａは上側（角部）の小径な湾曲面３９ｂを経て凸部３８に続き、且つ後端面３９ａの下側でほぼ直交する平坦面３９ｃに続いている。
【００２６】
ロックプレート３の後方に隣接して第一のスイッチ３１が配置され、ロックプレート３の後端面３９ａに第一のスイッチ３１の略湾曲状の接触子３１ａが接し、図５のロック状態で接触子３１ａは後方に押されてスイッチ３１がオン（又はオフ）した状態となっている。オン（又はオフ）とは、スイッチ３１の種類によって、常時開接点のものはオン、常時閉接点の場合はオフになるという意味である。
【００２７】
スイッチ３１のオフ（又はオン）時に接触子３１ａはケース部３１ｂ内のばねの力で図５の鎖線の如く前方に突出する。鎖線３１ａ”で示す接触子の位置は図１の実線で示す解錠時におけるものであり、図１で水平に倒れたロックプレート３の後端面３９ａが接触子３１ａの前方上側に少し離間して位置する。
【００２８】
図５で符号３１ａ’で示す接触子の位置は、第一のスイッチ３１がオンからオフ（又はオフからオン）に切り替わる境界を示しており、図５で実線３１ａと鎖線３１ａ’との間（範囲）がスイッチオン（又はオフ）で、鎖線３１ａ’と鎖線３１ａ”との間（範囲）がスイッチオフ（又はオン）である。それに対応して、ストッパ４の突出部１９とロックプレート３の凸部３８との間の隙間６４のうちの後半の隙間６４ａがスイッチオン（又はオフ）時のもので、前半の隙間６４ｂがスイッチオフ（又はオン）時のものである。
【００２９】
隙間６４がなくなる手前の位置を第一のスイッチ３１で検知し、そこから先は背圧があるものと見なして、好ましくはソレノイド７を駆動せずに、ＬＥＤ４４等で使用者へ扉の背圧を除去してもらうように通知する。
【００３０】
このように、比較的広い隙間６４をもたせて、スイッチ３１のオン時とオフ時とで接触子３１ａにある程度のストロークを設定したことで、組付寸法誤差等による誤検知も防止されている。図５の状態でロックプレート３はスナップばね１４の力でガタ付きなく施錠方向（反時計回り）に付勢されている。
【００３１】
スイッチ３１のケース部３１ｂはケース１１にほぼ垂直に（少し後に傾斜して）固定され、ケース部３１ｂの前端上部から斜め下向きに接触子３１ａが突出し、ケース部３１ｂの後端から一対の端子３１ｃが突設され、端子３１ｃに図示しないリード線が接続され、リード線が図５のＩ／Ｏポート４２を経て制御部４３に接続される。
【００３２】
図１の如く、プレート部材６は、上下（垂直）方向のリンク部５と、リンク部５に斜めに交差したストッパ部４とで成り、リンク部５の上側突出部２０と下側突出部２１とに垂直方向の長孔状の切欠孔（ガイド部）２２が設けられている。
【００３３】
ソレノイド７のプランジャ８の前部に円柱状の水平なピン部（係合部）２４が直交して設けられ、ピン部２４が上側の切欠孔２２にスライド自在に係合している。ピン部２４，はプランジャ８の軸心から直角に突出している。下側の切欠部２２には、図示しない衝撃相殺用のカウンタウェイトのピンがスライド自在に係合する。本例で、軸部１０の中心から上下の各ピン部２４の中心までの垂直距離は等しく設定される。
【００３４】
ストッパ部４はリンク部５から斜め前方上向きに突出した前側部分２６と、前側部分２６から下向きに突出し、且つ直交方向に屈曲した板状の先端部分１９と、リンク部５から斜め後方下向きに突出した後側部分２７とを有している。ストッパ部４をリンク部５とは別体に形成した場合は、後側部分２７から上向き且つ水平に突出した板状部分２８をストッパ部（ストッパプレート）４に設け、板状部分２８を上方から当接させる後方の突出部２９をリンク部（リンクプレート）５に設ける。ストッパ部４は捩り巻きばね３０で反時計回りに付勢され、リンク部５も一体に付勢される。捩り巻きばね３０の一端３０ａはリンク部（リンクプレート）５に係止され、他端３０ｂはストッパ部（ストッパプレート）４に係止され、ばね３０の力はソレノイド７側の圧縮コイルばね４６の力よりも弱い。板状部分２８はケース１１の外部に突出して外部操作が可能となっている。
【００３５】
本例で、別体化されたストッパプレート（４）の重心は軸部１０の中心と一致し、リンクプレート（５）の重心は軸部１０の中心と一致している。また、ストッパ部４とリンク部５とで一体化されたプレート部材６の重心は軸部１０の中心と一致している。
【００３６】
ストッパ部４の後方の突出部（後側部分）２７は大径な円弧（湾曲）状の後端面２７ａを有し、突出部２７の後方に第二のスイッチ３７が配置され、第二のスイッチ３７の接触子３７ａが後端面２７ａに接触可能となっている。後端面２７ａは上側の角部を経て上側の突出部２８に続いている。
【００３７】
第二のスイッチ３７のケース部３７ｂはケース１１に垂直に固定され、ケース部３７ｂの前端下部から斜め上向きに接触子３７ａが突出し、ケース部３７ｂの後端に一対の端子３７ｃが突設され、端子３７ｃに図示しないリード線が接続され、リード線が図６のＩ／Ｏポート４２を経て制御部４３に接続される。
【００３８】
ストッパ部４の後端面２７ａは、図１の解錠時に第二のスイッチ３７の接触子３７ａから前方下側に少し離間して位置し、図４（図５）の施錠時に接触子３７ａに押接して接触子３７ａを後方に押して第二のスイッチ３７をオン（又はオフ）させる。
【００３９】
図１の例で、電磁ソレノイド７は小型軽量のものであるが、プランジャ復帰用の圧縮コイルばね４６を用いてプランジャ８の突出動作を確実に行わせる。ソレノイド７の筒体部３２はケース１１に水平に固定され、プランジャ８は水平に前後に進退する。
【００４０】
図６は、上記錠装置１の回路構成を簡略化して示すものであり、ソレノイド５と第一のスイッチ３１、第二のスイッチ３７、ＬＥＤランプ４４はそれぞれＩ／Ｏポート４２を介して制御部（ＣＰＵ）４３に接続され、制御部４３にはさらにタイマ４５が接続されている。Ｉ／Ｏポート４２や制御部４３やタイマ４５は錠装置１の外部に配置される。
【００４１】
以下に、錠装置１の解錠時の作用を図１〜図５の構成及び図７のフローチャートを用いて説明する。
【００４２】
図４の施錠状態から使用者がキーで解錠操作すると（図７の符号５１参照）、第一のスイッチ３１のオンオフが確認され（図７の符号５２参照）、オンである場合に、図３の如くソレノイド７に通電されてプランジャ８が吸引される（図７の符号５３参照）。キーは差込回動式のものでも暗証入力用のテンキーでもＩＣカードでもよい。
【００４３】
それに伴ってリンク部５とストッパ部４とが一体に解錠方向（時計回り）に回動する（図７の符号５４参照）。リンク部５とストッパ部４とが別体である場合は、リンク部５の突出部分２９でストッパ部４の突出部分２８が時計回りに押されて、回動する（図７の符号５４参照）。回動によってストッパ部４の先端の突出部１９がロックプレート３の凹部１８から上方に離脱する。
【００４４】
ストッパ部４が時計回りに回動することで、ストッパ部４の後端面２７ａが第二のスイッチ３７の接触子３７ａから下側前方に離間し、第二のスイッチ３７がオフする（図７の符号５５参照）。第一のスイッチ３１はロックプレート３の後端面３９ａで接触子３１ａを押されて図４，図３共にオンしたままである。この状態で解錠（ロック解除）が完了する（図７の符号５６参照）。
【００４５】
図１の如く、使用者が扉を開けることで、ストライカ２がロックプレート３をスナップばね１４の力に抗して反時計回りに回動させ、ロックプレート３の後端面３９ａが第一のスイッチ３１の接触子３１ａから上側前方に離間し、第一のスイッチ３１がオフし、両スイッチ３１，３７は共にオフされる。
【００４６】
図７の符号５５で第二のスイッチ３７がオンである場合は、何らかの理由でストッパ部４の突出部分１９がロックプレート３の凹部１８から離脱していないと判断して、タイマ４５（図６）が一定時間内である場合はリトライし、一定時間経過した後は（図７の符号５７参照）、ソレノイド７に通電してプランジャ８を開放し（突出させ）（図７の符号５８参照）、解錠未完了のままで施錠を維持する（図７の符号５９参照）。
【００４７】
図４の施錠状態で扉に背圧がかかっている場合は、ロックプレート３がストライカ２で扉開き方向（外向き）に引っ張られて反時計回りに少し回動し、ロックプレート３の後方の凸部３８の内面（前端面）３８ｂがストッパプレート３の先端の突出部１９の内面（後端面）１９ａに隙間なく強く当接し、ソレノイド７をプランジャ吸引方向に励磁してもストッパ部４が回動せずに突出部１９がロックプレート３の凹部１８に係合したままとなり、ロックが解除されない。ストッパ部４とリンク部５とが別体の場合も同様である。
【００４８】
これらの場合は、ロックプレート３が反時計回りに少し回動して図１の解錠状態に近くなり、ロックプレート３の後端面３９ａが第一のスイッチ３１の接触子３１ａから離間する方向に少し移動することで、図７の符号５２で第一のスイッチ３１がオフになり、背圧が作用していることが検知され、ＬＥＤランプ４４やブザー等で使用者に異常が報知される（図７の符号６０参照）。
【００４９】
使用者が扉の注意書き（ランプがついたら扉を押し込んでほしい旨の注意書き）を見て、ロッカ等の扉（机の場合は引き出し）を閉じ方向に押すことで、（図７の符号６１参照）、ストライカ２によるロックプレート３の引張が解除される。タイマ４５が一定時間経過する前には（図７の符号６２参照）、リトライされて、第一のスイッチ３１がオンであることが確認されたら、図７の符号５３でソレノイド７に通電されてプランジャ８が吸引され、図７の符号５４でリンク部４とストッパ部５が解錠方向に回動し、それと同時にストッパ部４の後端面２７ａが第二のスイッチ３７の接触子３７ａから下側前方に離間して、図７の符号５５で第二のスイッチ３７がオフになったことを確認して、図７の符号５６で解錠が完了する。
【００５０】
図３の如く、ロックプレート３はスナップばね１４の力で時計回りに正常位置に復帰し、凸部３８とストッパ部４の突出部１９との当接が解除され、ストッパ部４がばね３０の付勢に抗してプランジャ８の引き込み力でリンク部５と一体に時計回りに回動して、突出部１９と凹部１８との係合が解除される（解錠が完了する）。
【００５１】
図７の符号６２でタイマ４５が一定時間経過した後は、図７の符号５８でソレノイド７に通電してプランジャ８を開放し（突出させ）、図７の符号５９で解錠未完了のまま施錠を維持する。
【００５２】
以下に、錠装置１の施錠時の作用を図１〜図５の構成及び図８のフローチャートを用いて説明する。
【００５３】
図１の解錠時に、第一及び第二のスイッチ３１，３７は共にオフになっている。ソレノイド７は作動しておらず、ストッパ部４の先端の突出部１９はロックプレート３の上方に離間している。使用者がロッカ内に荷物を入れ、扉を閉め、キーで施錠操作する（図８の符号７１参照）。キーは回動式のものでもテンキーでもよい。
【００５４】
図３の如く扉を閉めると同時にストライカ２がロックプレート３を軸部１３を支点に時計回りに回動させつつロックプレート３の凹部１７に係合する。ロックプレート３の後端面３９ａは下向きに回動して第一のスイッチ３１の接触子３１ａを押して第一のスイッチ３１をオンさせる（図７の符号７２参照）。第一のスイッチ３１で、ロックプレート３に背圧が作用しているかどうかが検知される。
【００５５】
第一のスイッチ３７がオンすることで、制御部４３（図６）の作用で、図４の如く、ソレノイド７に通電されてプランジャ８が開放方向に突出し（図８の符号７３参照）、リンク部５とストッパ部４とを一体に反時計回りに回動させ（図８の符号７４参照）、ストッパ部４の先端の突出部１９がロックプレート３の凹部１８に進入係合し、凹部１８の後側の凸部３８が突出部１９に当接することで、ロックプレート３の解錠方向（反時計回り）の回動が阻止される。ロックプレート３の後部下面３９ｃはケース１１の傾斜面４０に当接する。ストッパ部４はばね３０で下向き（ロック方向）に弾性付勢されている。ソレノイド７の通電が解除されても、ばね４６とばね３０の付勢力でロック状態が維持される。
【００５６】
ストッパ部４をリンク部５とは別体のストッパプレート（４）とした場合は、リンクプレート（５）の反時計回りの回動で、図３におけるリンクプレート（５）とストッパプレート（４）との後方の各突出部２８，２９の当接が解除され、図４の如くストッパプレート（４）がばね３０の力で反時計回り（ロック方向）に回動して、先端の突出部１９がロックプレート３に係合する（図８の符号７４参照）。
【００５７】
ストッパ部４の後端面２７ａが第二のスイッチ３７の接触子３７ａを押して第二のスイッチ３７をオンさせる（図８の符号７５参照）。これにより、施錠が完了したことが検知される（図７の符号７６参照）。
【００５８】
図４で扉に背圧がかかっている場合には、ロックプレート３がストライカ２で扉開き方向（外向き）に引っ張られて反時計回りに少し回り、後方の凸部３８が前方に位置ずれするので、ストッパ部４の先端の突出部１９がロックプレート３の凸部３８に干渉して凹部１８内に進入することができず、ロックがかからない。ストッパ部４とリンク部５とが一体である場合は、プランジャ８が伸びきらずに途中で停止する。ストッパ部４とリンク部５とが別体である場合は、プランジャ８が伸びきり、リンク部５が完全に回動するが、ストッパ部４が回動途中で凸部３８に当接して停止する。
【００５９】
図７の符号７２で第一のスイッチ３１がオフである場合は、扉等に背圧が作用し、ロックプレート３がストライカ２で引っ張られて反時計回りに少し回動していると判定して、ＬＥＤランプ４４やブザー等（図示せず）で異常を通知して、ロックがかからないことを使用者にアピールする（図８の符号７７参照）。第一のスイッチ３１のオフ信号を受けた制御部４３（図６）がＬＥＤランプ４４等を作動させる。ロッカの扉には、ランプ４４の点滅等の報知があった場合は荷物を再度押し込むような注意書きをしておく。
【００６０】
このアピールによって、使用者が扉を閉じ方向に押し込むことで（机の場合は引き出しを閉め方向に押し込むことで）（図８の符号７８参照）、背圧が解除され、ロックプレート３が図４の正規の施錠位置に回動復帰する。タイマが一定時間経過する前に（図８の符号７９参照）、リトライを行って、図８の符号７２に戻り、第一のスイッチがオンであることを確認して、図７の符号７３〜７６のように施錠が完了する。施錠と同時に制御部４３（図６）が作用してランプ４４等の報知が消滅する。
【００６１】
図８の符号７９でタイマ４５が一定時間経過した後や、図８の符号７５で第二のスイッチ７５がオフである場合（何らかの理由でストッパ部４が解錠方向に回動しない場合）は、ソレノイド７に通電してプランジャ８を吸引させ（図８の符号８０参照）、施錠未完了のまま解錠を維持する（符号８１参照）。施錠未完了では例えばキーが抜けないから、使用者はそのまま立ち去ることはなく、異常を察知できる。
【００６２】
なお、上記実施形態においては、制御部で解錠操作時と施錠操作時の両方における背圧に対処したが、例えば解錠操作時のみに背圧に対処した作動を行わせることも可能である。
【００６３】
また、上記実施形態においては、リミットスイッチないしマイクロスイッチを用いて背圧の検知を行わせたが、機械的なスイッチにかえて光センサ（光スイッチ）等を用いることも可能である。光センサを用いた場合、ロックプレート３の凸部３８とストッパ部４の突出部３８との間の隙間６４の寸法（大小）すなわち背圧の有無を隙間における光の透過量で判断することも可能である。
【００６４】
また、上記した構成は錠装置の背圧対処機構としてのみならず、錠装置自体として、あるいは錠装置の背圧対処方法としても有効なものである。
【図面の簡単な説明】
【００６５】
【図１】本発明に係る錠装置の背圧対処機構の一実施形態を示す解錠時の正面図である。
【図２】同じく錠装置の背圧対処機構の扉を開けたロック準備状態を示す正面図である。
【図３】同じく錠装置の背圧対処機構の扉を閉めた解錠前の状態を示す正面図である。
【図４】同じく錠装置の背圧対処機構の施錠時の状態を示す正面図である。
【図５】図４の施錠時の図の一部を省略して内部を見せた状態の正面図である。
【図６】錠装置の背圧対処機構の電気的接続の概要を示す回路図である。
【図７】錠装置の背圧対処機構の解錠作業の流れを示すフローチャートである。
【図８】錠装置の背圧対処機構の施錠作業の流れを示すフローチャートである。
【図９】従来の錠装置の一形態を示す正面図である。
【符号の説明】
【００６６】
１    錠装置
２    ストライカ
３    ロックプレート（ロック部材）
４    ストッパ部
５    リンク部
７    ソレノイド
３１  第一のスイッチ（検知部）
３７  第二のスイッチ（検知部）
６４  隙間
【図１】
2008266931.tif 000003
【図２】
2008266931.tif 000004
【図３】
2008266931.tif 000005
【図４】
2008266931.tif 000006
【図５】
2008266931.tif 000007
【図６】
2008266931.tif 000008
【図７】
2008266931.tif 000009
【図８】
2008266931.tif 000010
【図９】
2008266931.tif 000011